(57)【要約】【課題】主室内の所定の場所への水の到達を抑制できる防水筐体を提供する。【解決手段】複数の竪壁２０−５０と天井壁６０とは、主室１１を区画する。複数の竪壁２０−５０は、内壁２２-５２と、外壁２３−５３との間に壁内室２１−５１を区画している。前竪壁２０の上部の内側には、前排水樋９１が設けられている。前排水樋９１は、連通口４５、５５を通して壁内室４１、５１に到達し、水を落とす。壁内室４１には、横開口部４６の上に位置付けられた横排水樋９２が設けられている。壁内室３１には、内壁３２から機器８２の突出部分の上に庇状に配置された後排水樋９３が設けられている。壁の上端から水が浸入することがあっても、水は排水樋９１、９２、９３に捕捉され、壁内室３１、４１、５１を流れて排出される。よって、排水樋９１、９２、９３の下には水が到達しにくい領域を設けることができる。【選択図】図２
2014216491.tif 000002
【特許請求の範囲】
【請求項１】
内部に部屋（１１、２１、３１、４１、５１、６１）を区画する複数の竪壁（２０、３０、４０、５０）、および天井壁（６０）と、
前記竪壁の内側に位置付けられ、前記竪壁の内側において前記竪壁に沿って前記部屋の横方向端部に向けて延びるとともに、上方に向けて開口するように形成され、前記部屋に浸入した水（ＷＴ）を受けるとともに、受けた水を前記部屋の横方向端部に向けて流す排水樋（９１、９２、９３）とを備えることを特徴とする防水筐体。
【請求項２】
複数の前記竪壁と前記天井壁とは、前記部屋としての主室（１１）を区画しており、
前記排水樋（９１）は、前記主室（１１）に位置するように、少なくともひとつの前記竪壁の上部の内側に設けられていることを特徴とする請求項１に記載の防水筐体。
【請求項３】
複数の前記竪壁は、前記排水樋（９１）が設けられた主竪壁（２０）と、前記主竪壁と交差する副竪壁（４０、５０）とを有し、
前記副竪壁（４０、５０）は、
前記主室に面する内壁（４２、５２）と、
前記内壁より外側に設けられ、前記内壁との間に前記部屋としての壁内室（４１、５１）を区画する外壁（４３、５３）とを有し、
前記内壁は、前記排水樋を通すことが可能な連通口（４５、５５）を有し、
前記排水樋（９１）は、前記連通口を通して前記壁内室（４１、５１）に到達し、前記壁内室（４１、５１）において水を落とすように配置されていることを特徴とする請求項２に記載の防水筐体。
【請求項４】
前記排水樋（９１）は前記副竪壁に固定されており、
前記主竪壁（２０、２２）は、前記排水樋に上から掛けることが可能な鉤型部（２５）を有することを特徴とする請求項３に記載の防水筐体。
【請求項５】
前記排水樋（９１）は、
前記排水樋の延在方向に沿って細長く延びる底板（９１ａ）と、
前記底板の外側において上へ向けて立上るように形成され、前記主竪壁（２０、２２）の前記鉤型部（２５）が掛けられる外側板（９１ｂ）と、
前記底板の内側において、前記外側板より高く上へ向けて立上るように形成された内側板（９１ｃ）とを有することを特徴とする請求項４に記載の防水筐体。
【請求項６】
複数の前記竪壁と前記天井壁とは、前記部屋としての主室（１１）を区画しており、
少なくともひとつの前記竪壁は、
前記主室に面する内壁（３２、４２）と、
前記内壁より外側に設けられ、前記内壁との間に前記部屋としての壁内室（３１、４１）を区画する外壁（３３、４３）とを有し、
前記排水樋（９２、９３）は前記壁内室（３１、４１）に位置するように前記内壁または前記外壁に設けられていることを特徴とする請求項１に記載の防水筐体。
【請求項７】
前記内壁は、前記主室（１１）と前記壁内室（３１、４１）とを連通する開口部（３４、４６）を有し、
前記排水樋（９２、９３）は、前記開口部の上に位置付けられ、前記開口部の幅より長く形成されていることを特徴とする請求項６に記載の防水筐体。
【請求項８】
さらに、前記開口部を開閉する扉（４８）と、
前記扉の内面に貼付され、前記扉が閉じた状態において前記排水樋と接触し、前記扉と前記排水樋との間を防水的に気密するパッキン（４８ａ）とを有し、
前記排水樋（９２）は、前記扉が閉じられる過程において前記パッキンの幅方向の中間部から接触するように形成されていることを特徴とする請求項７に記載の防水筐体。
【請求項９】
前記排水樋（９２）は、板材を曲げることによって形成されており、
前記排水樋（９２）は、
底板（９２ａ）と、
前記底板から上へ向けて立上るように形成され、前記パッキン（４８ａ）と接触する側板（９２ｂ）と、
前記底板と前記側板とが鋭角をなすように曲げられた曲げ部（９２ｃ）とを有し、
前記曲げ部（９２ｃ）が前記パッキンの幅方向の中間部に位置付けられていることを特徴とする請求項８に記載の防水筐体。
【請求項１０】
前記開口部（３４）には、前記主室（１１）内に配置された機器（８２）の一部が前記主室（１１）から前記壁内室（３１）に突出するように配置されており、
前記排水樋（９３）は、前記内壁（３２）から前記機器（８２）の突出部分の上に庇状に配置されており、
前記外壁（３３）は、前記排水樋より上に換気用開口部（３５）を有することを特徴とする請求項７に記載の防水筐体。
【請求項１１】
複数の前記竪壁と前記天井壁とは、前記部屋としての主室（１１）を区画しており、
複数の前記竪壁は、
広い前面を提供する前竪壁（２０）と、
前記前竪壁と対向する後面を提供する後竪壁（３０）と、
前記前竪壁および前記後竪壁の横に位置付けられた右竪壁（４０）および左竪壁（５０）とを有し、
前記後竪壁（３０）、前記右竪壁（４０）、および前記左竪壁（５０）は、
前記主室に面する内壁（３２、４２、５２）と、
前記内壁より外側に設けられ、前記内壁との間に前記部屋としての壁内室（３１、４１、５１）を区画する外壁（３３、４３、５３）とを有し、
少なくともひとつの前記内壁は、前記主室（１１）と前記壁内室（３１、４１、５１）とを連通する開口部（３４、４６）を有し、
前記排水樋は、
前記主室（１１）に位置するように、前記前竪壁（２０）の上部の内側に設けられ、前記右竪壁または前記左竪壁の前記内壁に設けられた連通口（４５、５５）を通して前記壁内室（４１、５１）に到達し、前記壁内室において水を落とすように配置された主室内排水樋（９１）と、
前記壁内室（３１、４１）に位置するように、前記開口部の上に位置付けられ、前記開口部の幅より長く形成された壁内排水樋（９２、９３）とを備えることを特徴とする請求項１に記載の防水筐体。
【請求項１２】
前記右竪壁または前記左竪壁の前記内壁（４２、５２）は、前記主室（１１）と前記壁内室（４１）とを連通する横開口部（４６）を有し、
前記後竪壁（３０）の前記内壁（３２）は、前記主室（１１）と前記壁内室（３１）とを連通し、前記主室（１１）内に配置された機器（８２）の一部が前記主室（１１）から前記壁内室（３１）に突出するように配置された後開口部（３４）を有し、
前記壁内排水樋（９２、９３）は、
前記横開口部の上に位置付けられた横排水樋（９２）と、
前記後竪壁（３０）の前記内壁（３２）から前記機器（８２）の突出部分の上に庇状に配置された後排水樋（９３）とを備えることを特徴とする請求項１１に記載の防水筐体。
【発明の詳細な説明】
【技術分野】
【０００１】
ここに開示される発明は、内部の部屋への水の浸入を抑制する防水筐体に関する。
【背景技術】
【０００２】
特許文献１は、屋外に設置される機器のための筐体を開示する。かかる機器においては、雨水の浸入を防止する防水が重要な課題であった。
【先行技術文献】
【特許文献】
【０００３】
【特許文献１】特開２０１２−２８８０４号公報
【発明の概要】
【発明が解決しようとする課題】
【０００４】
従来技術の構成では、十分な防水を実現することが困難であった。特に、強風、豪雨の下では、筐体内への雨水の浸入を完全に阻止することが困難である。また、過酷な気象において筐体内に浸入した水が筐体の壁面を伝って望ましくない場所に到達することがある。このような観点から、防水筐体にはさらなる改良が求められている。
【０００５】
発明の目的のひとつは、高い防水性能を備えた防水筐体を提供することである。
【０００６】
発明の目的の他のひとつは、浸入した水があっても、主室内の所定の場所への水の到達を抑制できる防水筐体を提供することである。
【課題を解決するための手段】
【０００７】
ここに開示される発明は上記目的を達成するために以下の技術的手段を採用する。なお、特許請求の範囲およびこの項に記載した括弧内の符号は、ひとつの態様として後述する実施形態に記載の具体的手段との対応関係を示すものであって、発明の技術的範囲を限定するものではない。
【０００８】
発明のひとつは、内部に部屋（１１、２１、３１、４１、５１、６１）を区画する複数の竪壁（２０、３０、４０、５０）、および天井壁（６０）と、竪壁の内側に位置付けられ、竪壁の内側において竪壁に沿って部屋の横方向端部に向けて延びるとともに、上方に向けて開口するように形成され、部屋に浸入した水（ＷＴ）を受けるとともに、受けた水を部屋の横方向端部に向けて流す排水樋（９１、９２、９３）とを備えることを特徴とする。
【０００９】
この構成によると、竪壁の上端から水が浸入することがあっても、水は排水樋に捕捉される。このため、水が排水樋の下に流れ下ることを抑制できる。水は排水樋の中を流れ、部屋の横方向端部に向けて流される。水は排水樋によって部屋の横方向端部、または竪壁の外へ排出される。この結果、排水樋の下には水が到達しにくい領域を設けることができる。
【図面の簡単な説明】
【００１０】
【図１】発明の第１実施形態に係る防水筐体の斜視図である。
【図２】第１実施形態の防水筐体の分解斜視図である。
【図３】第１実施形態の防水筐体の斜視図である。
【図４】第１実施形態の防水筐体の部分拡大断面図である。
【図５】第１実施形態の防水筐体の部分拡大斜視図である。
【図６】第１実施形態の防水筐体の部分拡大断面図である。
【図７】第１実施形態の防水筐体の部分拡大断面図である。
【図８】第１実施形態の防水筐体の部分拡大断面図である。
【図９】第１実施形態の防水筐体の部分拡大断面図である。
【図１０】比較例の防水筐体の部分拡大断面図である。
【図１１】比較例の防水筐体の部分拡大断面図である。
【図１２】比較例の防水筐体の部分拡大断面図である。
【図１３】第１実施形態の防水筐体の部分拡大断面図である。
【発明を実施するための形態】
【００１１】
以下に、図面を参照しながら発明を実施するための複数の形態を説明する。各形態において先行する形態で説明した事項に対応する部分には同一の参照符号を付して重複する説明を省略する場合がある。各形態において構成の一部のみを説明している場合は、構成の他の部分については先行して説明した他の形態を適用することができる。また、後続の実施形態においては、先行する実施形態で説明した事項に対応する部分に百以上の位だけが異なる参照符号を付することにより対応関係を示し、重複する説明を省略する場合がある。各実施形態で具体的に組合せが可能であることを明示している部分同士の組合せばかりではなく、特に組合せに支障が生じなければ、明示してなくとも実施形態同士を部分的に組み合せることも可能である。
【００１２】
（第１実施形態）
図１は、発明の第１実施形態に係る防水筐体１０の斜視図である。防水筐体１０は、屋外設置機器のための筐体１０とも呼ぶことができる。防水筐体１０は、一般家庭または小規模の事業所に設置され、電力を蓄え、電気機器に電力を供給する電池のための筐体である。防水筐体１０は、建物の壁面に沿って配置される。防水筐体１０は、複数の壁２０−６０を有している。
【００１３】
防水筐体１０は、複数の竪壁２０、３０、４０、５０、および天井壁６０を有する。複数の竪壁２０−５０は、広い前面を提供する前竪壁２０と、前竪壁２０と対向する後面（背面）を提供する後竪壁３０と、前竪壁２０および後竪壁３０の横に位置付けられた右竪壁４０および左竪壁５０とを有する。
【００１４】
広い壁面を提供する前竪壁２０は、防水筐体１０の前面を提供する。後竪壁３０は、建物の壁面に向けて設置される背面を提供する。防水筐体１０は、前竪壁２０からの厚さが薄いやや扁平な箱状である。右竪壁４０と左竪壁５０とは、側面を提供する。天井壁６０は、前面から後面に向けて下方へ傾斜した天井面を提供する。防水筐体１０は、それ自身を地上に固定的に設置するための脚部７０を有する。
【００１５】
防水筐体１０は、その内部に電気的な機器８１、８２を収容する。機器８１は、リチウムイオン電池等の大容量電池である。機器８２は、電池の充放電を制御するための制御回路である。防水筐体１０は、右竪壁４０に設けられた作業用の扉４８を有する。扉４８を開くことにより、機器８１、８２が収容された内部を覗き、日常的な保守作業が可能である。
【００１６】
図２に図示されるように、防水筐体１０は、複数の部材によって形成されている。複数の部材は、連結手段によって連結されている。連結手段は、複数の部材の嵌め合い結合、スクリュまたはボルト＆ナットによる締付結合などによって提供される。また、少なくとも天井壁６０、および前竪壁２０は、スクリュを緩めることによって取り外しが可能である。これらの壁６０、２０は、該規模な保守作業のときに取り外される。多くの部材は、金属板を板金加工した複数のパネルによって形成されている。
【００１７】
複数の竪壁２０−５０と天井壁６０とは、部屋としての主室１１を区画している。主室１１には、機器８１、８２が収容されている。複数の壁２０−６０は、それらのすべてが内外二重の壁によって提供されている。この結果、防水筐体１０は、底面を除く五面において内壁板と外壁板とを有している。内壁板よりさらに内側には、機器８１、８２を収容するための主要な収容室である主室１１が区画形成されている。内壁板と外壁板との間には、壁内室２１、３１、４１、５１、６１が区画形成されている。すべての壁２０−６０は、それらの内部に部屋としての壁内室２１、３１、４１、５１、６１を区画する。
【００１８】
前竪壁２０は、主室１１に面する内壁２２と、内壁２２より外側に設けられた外壁２３、２４とを有する。上部外壁２３と下部外壁２４とは、前面に印象的な形態を与えるように形成されている。内壁２２と外壁２３、２４とは、それらの間に壁内室２１を区画形成している。内壁２２の上部には、鉤型部２５が形成されている。内壁２２の内面の上部、すなわち鉤型部２５の直下には、水の浸入を阻止するためのパッキン２６が貼付されている。パッキン２６は、内壁２２、すなわち前竪壁２０の横方向の全幅にわたって設けられている。
【００１９】
後竪壁３０は、主室１１に面する内壁３２と、内壁３２より外側に設けられた外壁３３とを有する。内壁３２と外壁３３とは、それらの間に部屋としての壁内室３１を区画する。内壁３２は、主室１１と壁内室３１とを連通する開口部３４を有する。開口部３４は、後開口部３４とも呼ばれる。内壁３２の内側には、開口部３４を覆うように機器８２が固定されている。外壁３３は、換気のための換気用開口部３５を有する。換気用開口部３５は、複数のスリット状の開口を含む。換気用開口部３５は、外壁３３の上部にのみ設けられている。換気用開口部３５は、開口部３４より上に位置している。
【００２０】
右竪壁４０と左竪壁５０とは、主室１１に面する内壁４２、５２と、内壁４２、５２より外側に設けられた外壁４３、５３とを有する。内壁４２、５２と外壁４３、５３とは、それらの間に部屋としての壁内室４１、５１を区画する。右竪壁４０の内面、すなわち内壁４２に沿って補強用の棒状部材１２が設けられている。また、左竪壁５０の内面、すなわち内壁５２に沿って補強用の棒状部材１３が設けられている。
【００２１】
内壁４２は、主室１１と壁内室４１とを連通する開口部４６を有する。開口部４６は、横開口部４６とも呼ばれる。外壁４３は、開口部４６の外側に位置し、開口部４６より大きい外開口部４７を有する。
【００２２】
右竪壁４０は、開口部４６を開閉する扉４８を有する。扉４８は、開口部４６を外側から覆うように設けられている。扉４８は、外開口部４７内に収まる大きさを有する。扉４８は、外開口部４７内に位置づけられ、開閉操作可能に支持される。
【００２３】
内壁４２、５２の前方、上部の角部には、板材の一部を外側に向けて折り曲げることによってサポート片４４、５４が形成されている。サポート片４４、５４が形成されることによって、内壁４２、５２には、主室１１と壁内室４１、５１とを連通する連通口４５、５５が開設される。サポート片４４、４５は、後述する排水樋９１を受け、固定するために利用される。また、連通口４５、５５は、排水樋９１を主室１１から壁内室４１、５１へ突出させるために利用される。
【００２４】
天井壁６０は、主室１１に面する内壁６２と、内壁６２より外側に設けられた外壁６３とを有する。内壁６２と外壁６３とは、それらの間に部屋としての壁内室６１を区画する。
【００２５】
この実施形態では、少なくともひとつの竪壁は、主室１１に面する内壁と、内壁より外側に設けられ、内壁との間に部屋としての壁内室を区画する外壁とを有する。壁内室を区画する竪壁は、後述する排水樋９１を有する竪壁と交差するように位置付けられている。
【００２６】
脚部７０は、竪壁２０−５０の下に位置付けられるカバー板７２を有する。脚部７０は、地上に設置され、固定可能な脚７３、７４と、脚７３、７４の上に載せられ、固定される底板７５とを有する。カバー板７２は、前面から脚７３、７４を隠すように脚７３、７４の前面に装着される。底板７５の上には機器８１が載せられ、固定される。
【００２７】
防水筐体１０は、内部に浸入した水を排出するための排水樋９１、９２、９３を有する。排水樋９１、９２、９３は、防水筐体１０の内部の所定の領域への水の到達を抑制するための部材である。排水樋９１、９２、９３は、竪壁２０−５０の内側に位置付けられている。排水樋９１、９２、９３は、竪壁２０−５０の内側において竪壁２０−５０に沿って部屋１１、２１、３１、４１、５１の横方向端部に向けて延びるとともに、上方に向けて開口するように形成されている。排水樋９１、９２、９３は、上と、長手方向の少なくとも一方の端部において開口している。図示された例では、排水樋９１、９２、９３は、長手方向の両端において開口している。排水樋９１、９２、９３の長手方向の端部は、部屋１１、２１、３１、４１、５１の横方向端部に位置付けられている。
【００２８】
排水樋９１、９２、９３は、上の開口を通して溝状の通路部分に水を受け、通路部分によって水を長手方向に流し、長手方向の端部において水を解放して流し去るように形成されている。排水樋９１、９２、９３は、竪壁の上端または開口部３５、４７から部屋１１、２１、３１、４１、５１に浸入した水ＷＴを受けるとともに、受けた水ＷＴを部屋１１、２１、３１、４１、５１の横方向端部に向けて流す。
【００２９】
この構成によると、水ＷＴが浸入することがあっても、水ＷＴは排水樋９１、９２、９３に捕捉される。このため、水ＷＴが排水樋９１、９２、９３の下に流れ下ることを抑制できる。水ＷＴは排水樋９１、９２、９３の中を流れ、部屋１１、２１、３１、４１、５１の横方向端部に向けて流される。水ＷＴは排水樋９１、９２、９３によって部屋１１、２１、３１、４１、５１の横方向端部、または竪壁の外へ排出される。この結果、排水樋９１、９２、９３の下には水が到達しにくい領域を設けることができる。
【００３０】
排水樋９１、９２、９３は、主室１１に到達した水ＷＴを案内し、主室１１の外へ排出するための第１の排水樋９１を有する。排水樋９１は、主室内排水樋９１とも呼ばれる。排水樋９１は、主室１１に位置するように配置されている。排水樋９１は、少なくともひとつの竪壁の上部の内側に設けられている。図示される排水樋９１は、前竪壁２０の上部の内側に配置されている。排水樋９１は、右竪壁４０または左竪壁５０の内壁４２、５２に設けられた連通口４５、５５を通して壁内室４１、５１に到達するように配置されている。排水樋９１は、壁内室４１、５１において水ＷＴを落とすように配置されている。
【００３１】
排水樋９１、９２、９３は、壁内室３１、４１に到達した水ＷＴを案内し、壁内室３１、４１の外へ排出するための第２の排水樋９２、９３を有する。排水樋９２、９３は、壁内排水樋９２、９３とも呼ばれる。排水樋９２、９３は、壁内室３１、４１に位置するように配置されている。排水樋９２、９３は壁内室３１、４１に位置するように内壁３２、４２または外壁３３、４３に設けることができる。図示される排水樋９２、９３は内壁３２、４２に設けられている。
【００３２】
排水樋９２、９３は、開口部３４、４６の上に位置付けられている。排水樋９２、９３は、開口部３４、４６の幅より長く形成されている。排水樋９２、９３は、開口部３４、４６より横方向に離れた壁内室４１、５１において水ＷＴを落とすように配置されている。
【００３３】
壁内排水樋９２、９３は、横排水樋９２と、後排水樋９３とを備える。横排水樋９２は、横開口部４６の上に位置付けられている。後排水樋９３は、後竪壁３０の内壁３２から機器８２の突出部分の上に庇状に突出して配置されている。
【００３４】
図３には、天井壁６０の外壁６３を取り除いた防水筐体１０の斜視図が図示されている。図４には、図３の矢印ＩＶで示された部位の拡大図が図示されている。
【００３５】
前竪壁２０の上端と、天井壁６０の内壁６２との間の隙間に排水樋９１が位置付けられている。排水溝９１は、上記隙間を塞ぐように配置されている。排水樋９１の端部は、左竪壁５０の内壁５２の連通口５５を通して防水筐体１０の横方向に延び出している。排水樋９１は、スクリュ１４によってサポート片５４に固定されている。排水樋９１の端部は、連通口５５を貫通して左竪壁５０の上端において横方向へ開口している。左竪壁５０の内壁５２と外壁５３との間には、壁内室５１に連通する隙間が開口している。
【００３６】
天井壁６０の外壁６３と前竪壁２０の外壁２３との間の隙間、および外壁６３と内壁２２との間の隙間を通して水ＷＴが浸入することがある。水ＷＴは、内壁２２と内壁６２との間の隙間も通過することがある。内壁２２と内壁６２との間の隙間には、排水樋９１が配置されているから、水ＷＴは、排水樋９１によって捕捉され、排水樋９１に沿って流れる。水ＷＴは、排水樋９１の端部から排出され、周囲の部材に沿って流れ下る。この結果、排水樋９１の下側、特に、主室１１の横方向の広い領域において水ＷＴの浸入が回避される。
【００３７】
排水樋９１の端部から流れ出た水ＷＴは、サポート片５４の上などを流れて、壁内室５１へ流入し、流れ下る。壁内室５１には、機器が配置されていない。よって、壁内室５１は、排水通路を提供する。水ＷＴの一部は、前竪壁２０と左竪壁５０との間に形成された溝２７を流れ下ることがある。
【００３８】
図５には、図３の矢印Ｖ方向における部分的な拡大断面図が図示されている。図中には、排水樋９１を含む前竪壁２０と天井壁６０との間の角部の断面が示されている。排水樋９１は、内壁２２の鉤型部２５が掛けられるための支持部を提供する。鉤型部２５は、前竪壁２０を装着する作業を容易にする。図示されるように、天井壁６０の外壁６３は、鉤型部２５に覆い被さるように形成されている。外壁６３の下端は、鉤型部２５の上端より下にまで延びている。このため、水ＷＴは、図示されるようにＳ字状に蛇行した経路をとらなければならない。
【００３９】
排水樋９１は、排水樋９１の延在方向に沿って細長く延びる底板９１ａを有する。排水樋９１は、底板９１ａの外側において上へ向けて立上るように形成された外側板９１ｂを有する。外側板９１ｂには、前竪壁２０の内壁２２の鉤型部２５が掛けられる。排水樋９１は、外側板９１ｂより高く上へ向けて立上るように形成された内側板９１ｃを有する。天井壁６０の内壁６２の前端は、内側板９１ｃの上端に覆い被さるように形成されている。この構成によると、鉤型部２５を乗り越えて浸入する水を内側板９１ｂによって阻止し、排水樋に水を受けることができる。
【００４０】
以上の説明では、排水樋９１と左竪壁５０との構造を図示し、説明した。この実施形態では、排水樋９１は、左右対称に形成されている。よって、排水樋９１と右竪壁４０との構造は、図示の構造と対称の構造となっている。
【００４１】
この実施形態では、前竪壁２０は、排水樋９１が設けられた主竪壁２０とも呼ぶことができる。右竪壁４０と左竪壁５０とは、主竪壁２０と交差する副竪壁４０、５０とも呼ぶことができる。この場合、副竪壁４０、５０の内壁４２、５２は、排水樋９１を通すことが可能な連通口４５、５５を有する。排水樋９１は、連通口４５、５５を通して壁内室４１、５１に到達し、壁内室４１、５１において水を落とすように配置されている。排水樋９１は副竪壁４０、５０に固定されており、主竪壁２０は、排水樋９１に上から掛けることが可能な鉤型部２５を有する。この構成によると、主竪壁２０は排水樋９１に上から掛けて保持することができる。例えば、組立て過程において、主竪壁２０を取り付け位置に保持することができる。
【００４２】
図６には、図１の矢印ＶＩ方向における右竪壁４０の部分拡大断面図が図示されている。内壁４２は、開口部４６に対応して設けられた延長枠４２ａを有する。延長枠４２ａは、開口部４６の下辺、および左右の両側辺に対応して位置付けられた３つの壁をもつ。この結果、延長枠４２ａは、内壁４２と平行な断面においてコ字型の部材である。延長枠４２ａは、内壁４２に固定されている。延長枠４２ａは、内壁４２と外壁４３との間にわたって延びている。
【００４３】
排水樋９２は、開口部４６の上辺に対応して位置付けられている。排水樋９２は、延長枠４２ａの開放された上部を塞ぐように位置付けられている。排水樋９２は、内壁４２に固定されている。排水樋９２は、内壁４２と外壁４３との間にわたって延びている。
【００４４】
排水樋９２は、筒状部材の上面に、すなわち開口部４６の上に、樋形状を提供する部材である。排水樋９２は、樋形状を提供するために、左右方向へ延びる底板と、底板の両側部分から上へ向けて立上るように形成された一対の側板とを有することができる。排水樋９２は、内壁４２に垂直であって鉛直な断面においてコ字型の部材である。排水樋９２は、延長枠４２ａより幅方向に関して長く延び出している。排水樋９２は、延長枠４２ａの左右両側において突出しており、延長枠４２ａの左右両側において屋根状、または庇状と呼べる形状を提供する。
【００４５】
排水樋９２と延長枠４２ａとは、開口部４６から延びる筒状の部材を提供している。排水樋９２と延長枠４２ａとが提供する筒状部分は、開口部４６を囲む額縁状部分とも呼ぶことができる。排水樋９２と延長枠４２ａとは、開口部４６を外壁４３に向けて延長する部材でもある。排水樋９２と延長枠４２ａとが提供する筒状部材は、開口部４６から開口部４７にまで延びている。
【００４６】
排水樋９２は、上から流れてくる水を受ける樋を提供する。さらに、排水樋９２は、受けた水を左右方向の少なくとも一方に向けて流す。排水樋９２の端部は、右竪壁４０内に区画された扁平な壁内室４１の左右方向の端部に位置付けられている。排水樋９２の端部に到達した水は、排水樋９２の端部から流れ落ちる。このとき、排水樋９２の端部が延長枠４２ａより突出しているため、水は延長枠４２ａの外側を流れ落ちる。水は、内壁４２と外壁４３と延長枠４２ａとの間を流れ落ちる。
【００４７】
排水樋９２および延長枠４２ａが提供する筒状部分の先端には、扉４８が設けられている。扉４８は、排水樋９２の上部に設けられたヒンジ４９によって開閉可能に支持されている。
【００４８】
図７、図８、図９には、図６の矢印ＶＩＩ部分を拡大した断面図が図示されている。これらには、扉４８を開状態から閉状態へ移動する過程が図示されている。図９は、扉４８が全閉した状態を示す。
【００４９】
扉４８の内面には、パッキン４８ａが貼付されている。パッキン４８ａは、扉４８が閉じた状態において排水樋９２と接触し、扉４８と排水樋９２との間を防水的に気密する。パッキン４８ａは、排水樋９２を提供する筒状部材の端面に対応して環状に形成することができる。
【００５０】
排水樋９２は、板材を曲げることによって形成されている。排水樋９２は、底板９２ａと、底板９２ａから上へ向けて立上るように形成された側板９２ｂとを有する。排水樋９２は、底板９２ａと側板９２ｂとの間に、底板９２ａと側板９２ｂとが鋭角ＡＣをなすように曲げられた曲げ部９２ｃを有する。側板９２ａは、パッキン４８ａと接触する部位として形成されている。曲げ部９２ｃもパッキン４８ａと接触する。曲げ部９２ｃは、パッキンの幅方向の中間部に位置付けられている。
【００５１】
側板９２ｂは、扉４８が全閉した状態において、扉４８の面と交差するように広がっている。側板９２ｂは、パッキン４８ａに対して広い面積にわたって接触し、高い防水性を提供する。側板９２ｂは、パッキン４８ａの中間部において強く接触し、パッキン４８ａの縁部においては中間部におけるよりも弱く接触するように形成されている。別の観点では、側板９２ｂは、パッキン４８ａの縁部の角から接触を開始しないように、角を避けるように形成されているともいえる。
【００５２】
扉４８は、回転方向ＲＴに操作され、閉じられる。排水樋９２、すなわち側板９２ｂは、扉４８が閉じられる過程においてパッキン４８ａの幅方向ＷＳの中間部ＭＰから接触するように形成されている。これにより、パッキン４８ａを剥がす方向の力が抑制される。
【００５３】
図１０、図１１、図１２には、比較例の防水筐体の部分拡大断面図が図示されている。比較例においては、排水樋２９２が採用されている。排水樋２９２は、底板２９２ａと、側板２９２ｂと、曲げ部２９２ｃとを有する。曲げ部２９２ｃは、底板２９２ａと側板２９２ｂとが直角をなすように形成されている。比較例では、扉４８が閉じられる過程において、側板２９２ｂは、パッキン４８ａの縁部の角ＣＰから接触し、徐々に押し付けられる。このため、パッキン４８ａには、図中に矢印ＰＬで図示されるような、パッキン４８ａを剥がす方向の力が作用する。このため、比較例の構成では、扉４８の開閉の繰り返しによってパッキン４８ａが剥がれることがある。
【００５４】
図１３には、後竪壁３０の部分拡大断面図が図示されている。図示されるように、開口部３４には、主室１１内に配置された機器８２の一部が主室１１から壁内室３１に突出するように配置されている。機器８２の突出部分は、例えば、電子回路の熱を放熱するためのヒートシンクである。排水樋９３は、内壁３２から機器８２の突出部分の上に庇状に突出して配置されている。外壁３３に形成された換気用開口部３５は、排水樋９３より上に位置している。
【００５５】
この構成によると、機器８２の冷却のために必要な換気用開口部３５から水が浸入しても、排水樋９３によって水が捕捉され、壁内室３１の横方向の端部に流され、落とされる。このため、浸入した水から保護されるべき領域、すなわち開口部３４および機器８２の突出部分への水の到達が抑制される。
【００５６】
（他の実施形態）
発明は上述した実施形態に何ら制限されることなく、種々変形して実施することが可能である。上記実施形態の構造、作用、効果は、あくまで例示であって、発明の技術的範囲はこれらの記載の範囲に限定されるものではない。発明は、実施形態において示された組み合わせに限定されることなく、それぞれ独立して実施可能である。発明のいくつかの技術的範囲は、特許請求の範囲の記載によって示され、さらに特許請求の範囲の記載と均等の意味及び範囲内での全ての変更を含むものである。
【００５７】
例えば、図示された実施形態では、後竪壁３０と右竪壁４０とに開口部３４、４６を設けた。これに代えて、いずれか一方の開口部だけを設けてもよい。また、これらのひとつまたはすべてに代えて、または、これらのひとつまたはすべてに加えて、前竪壁２０および／または左竪壁５０に開口部を設けてもよい。この場合、それら開口部の上にも排水樋を設けることが望ましい。
【００５８】
また、図示された実施形態では、３つの排水樋９１、９２、９３のすべてを備えた。これに代えて、排水樋９１、９２、９３の少なくともひとつを採用してもよい。また、排水樋９１と排水樋９２とを採用してもよい。また、また、排水樋９１を排水樋９３とを採用してもよい。
【符号の説明】
【００５９】
１０  防水筐体、  ２０  前竪壁（主竪壁）、３０  後竪壁、
４０  右竪壁（副竪壁）、  ５０  左竪壁（副竪壁）、  ６０  天井壁、
１１  主室、  ２１、３１、４１、５１、６１  壁内室、
２２、３２、４２、５２、６２  内壁、
２３、２４、３３、４３、５３、６３  外壁、  ２５  鉤型部、
３４  後開口部、  ３５  換気用開口部、
４２ａ  延長枠、  ４４、４５  固定用タブ、  ４５、５５  連通口、
４６  横開口部、  ４７  外開口部、  ４８  扉、  ４９  ヒンジ、
７０  脚部、  ７２  カバー板、  ７３、７４  脚、  ７５  底板、
８１  機器（電池）、  ８２  機器（制御装置）、
９１、９２、９３  排水樋。  
【図１】
2014216491.tif 000003
【図２】
2014216491.tif 000004
【図３】
2014216491.tif 000005
【図４】
2014216491.tif 000006
【図５】
2014216491.tif 000007
【図６】
2014216491.tif 000008
【図７】
2014216491.tif 000009
【図８】
2014216491.tif 000010
【図９】
2014216491.tif 000011
【図１０】
2014216491.tif 000012
【図１１】
2014216491.tif 000013
【図１２】
2014216491.tif 000014
【図１３】
2014216491.tif 000015